【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
周囲形状を画定する離散要素を含む、３次元構造を有する足場を備え、該足場の中がほとんど空であり、該周囲形状は、角膜ポケットに配置されるときに視力矯正を提供するように選択される、角膜インプラント。
【請求項２】
前記周囲形状は、近視を矯正するように前記ポケットに配置されるときに、前記角膜を平らにする、請求項１に記載の角膜インプラント。
【請求項３】
前記周囲形状は、遠視を矯正するように、前記ポケットに配置されるときに、角膜を急勾配にする、請求項１に記載の角膜インプラント。
【請求項４】
前記周囲形状は、遠視を緩和し、乱視を軽減するように、前記ポケットに配置されるときに、角膜中央部を急勾配にし、該角膜の急勾配の軸を平らにする、請求項１に記載の角膜インプラント。
【請求項５】
レンズをさらに備え、前記形状は、前記ポケットに配置されるときに、前記角膜の形状を変化させ、該レンズは、付加的な屈折誤差矯正を提供する、請求項１に記載の角膜インプラント。
【請求項６】
角膜ポケットに配置されるときに、事前選択された視力矯正を提供するように選択される周囲形状を画定する、本体を備え、
該本体は、該本体が０．１ＭＰａから４ＭＰａの範囲の引張強度および０．１ＭＰａから５ＭＰａの範囲の弾性率を有するような材料から成る、
角膜インプラント。
【請求項７】
前記材料は、アクリル共重合体を含む、請求項６に記載の角膜インプラント。
【請求項８】
前記材料は、シリコーンまたはコラーゲンの共重合体を含む、請求項６に記載の角膜インプラント。
【請求項９】
前記周囲形状は、近視を矯正するように、前記ポケットに配置されるときに、角膜を平らにする、請求項６に記載の角膜インプラント。
【請求項１０】
前記周囲形状は、遠視を矯正するように、前記ポケットに配置されるときに、角膜を急勾配にする、請求項６に記載の角膜インプラント。
【請求項１１】
前記周囲形状は、遠視を緩和し、乱視を軽減するように、前記ポケットに配置されるときに、前記角膜中央部を急勾配にし、角膜の急勾配の軸を平らにする、請求項６に記載の角膜インプラント。
【請求項１２】
レンズをさらに備え、前記形状は、前記ポケットに配置されるとき、角膜の形状を変化させ、該レンズは、付加的な屈折誤差矯正を提供する、請求項６に記載の角膜インプラント。
【請求項１３】
前記材料は、金属を含む、請求項６に記載の角膜インプラント。
【請求項１４】
前記金属は、金、チタン、およびニッケルチタン合金から成る群より選択される、請求項１３に記載の角膜インプラント。
【請求項１５】
前記材料は、Ｃｏｎｔａｍａｃ  Ｃ１２６、Ｃ１１８、Ｃ１２１、Ｂｅｎｚ  ＩＯＬ  ２５ＵＶおよびＢｅｎｚｆｌｅｘ  ２６ＵＶから成るヒドロキシエチルメタクリレートおよびメチルメタクリレートの共重合体を含む、請求項６に記載の角膜インプラント。
【請求項１６】
少なくとも部分的に縁によって囲まれた突起した中央光学素子を有する本体を備えている角膜インプラントであって、該本体は、０．１ＭＰａから４ＭＰａの範囲の引張強度と、０．１ＭＰａから５ＭＰａの範囲の弾性率とを有する材料から成る、角膜インプラント。
【請求項１７】
中央光学素子が、前記縁から前方に延在する、請求項１６に記載の角膜インプラント。
【請求項１８】
前記中央光学素子が、前記インプラントから後方に延在する、請求項１６に記載の角膜インプラント。
【請求項１９】
前記材料は、アクリル共重合体を含む、請求項１６に記載の角膜インプラント。
【請求項２０】
前記材料は、シリコーンまたはコラーゲンの共重合体を含む、請求項１６に記載の角膜インプラント。
【請求項２１】
前記材料は親水性である、請求項１６に記載の角膜インプラント。
【請求項２２】
前記材料は、Ｃｏｎｔａｍａｃ  Ｃ１２６、Ｃ１１８、Ｃ１２１、Ｂｅｎｚ  ＩＯＬ  ２５ＵＶおよびＢｅｎｚｆｌｅｘ  ２６ＵＶから成るヒドロキシエチルメタクリレートおよびメチルメタクリレートの共重合体を含む、請求項１６に記載の角膜インプラント。
【手続補正２】
【補正対象書類名】明細書
【補正対象項目名】００３０
【補正方法】変更
【補正の内容】
【００３０】
一度角膜インプラントが中空部材内に入ると、インプラント移動器または他の軸方向押込器は、インプラントを角膜ポケットの中に係合し、押し込むために使用される。随意に、システムは、インプラントが中空部材内に嵌入する形状およびサイズに変形される変形チャンバをさらに含み得る。別の好適な側面において、変形チャンバは、変形プロセス中、変形チャンバ内の角膜インプラントの配向の保持を補助する凸部、突起、陥凹、またはくぼみを含み得る。随意に、中空部材は、先細にされ、すなわち、近位端より遠位端で狭い。そのような先細は、中空部材を通して前進し、小さい遠位開口部を通して外に通過する時の、インプラントのさらなる変形（サイズまたは幅縮小）を可能にする。中空部材の内部は、中空部材内を移動する時に、角膜インプラントの配向の保持を補助する凸部、突起、陥凹、またはくぼみを含み得る。インプラント配置システムは、インプラントの幅の半分と等しいまたはそれ未満である入口切開をもつ角膜ポケットにインプラントを配置させるように設計されるが、しかしながら、システムは、インプラントの幅の半分以上である角膜切開を通してインプラントを配置するために使用されることもできる。
例えば、本発明は以下の項目を提供する。
（項目１）
角膜インプラントを角膜に送達する方法であって、
初期幅で該インプラントを拘束するステップと、
該幅の幅を縮小するように先細チャンバを通して該インプラントを前進させるステップであって、該インプラントの対向縁は、該インプラントが前進させられるにつれて、半径方向内向きに湾曲する、ステップと、
該拘束されたインプラントを該縮小された幅で該角膜の中へ解放するステップと
を含む、方法。
（項目２）
上記インプラントは、０．１ＭＰａから４ＭＰａの範囲の引張強度と、０．１ＭＰａから５ＭＰａの範囲の弾性率とを有するポリマーを備える、項目１に記載の方法。
（項目３）
上記インプラントおよびキャリアを拘束する前に、薄い可撓性のキャリア上に上記インプラントを配置するステップをさらに含む、項目１に記載の方法。
（項目４）
拘束するステップは、上記インプラント上の変形チャンバの半円形の半分体を閉鎖するステップを含む、項目１に記載の方法。
（項目５）
前進させるステップは、上記角膜インプラントに押込部材を押しつけるステップを含む、項目１に記載の方法。
（項目６）
上記押込部材の前方部分は、上記押込部材が押し込まれると、上記先細チャンバの内部に適合する、項目５に記載の方法。
（項目７）
上記角膜インプラントは、生体インプラントである、項目１に記載の方法。
（項目８）
上記生体インプラントは、層状の角膜実質内皮移植組織またはＤＭＥＫ移植片を含む、項目７に記載の方法。
（項目９）
上記インプラントは、合成インプラントである、項目１に記載の方法。
（項目１０）
角膜インプラントを送達するためのシステムであって、
角膜内のポケットに挿入するために構成される近位端および遠位端を有し、かつ遠位方向に先細になる軸方向中空通路を有する、中空部材と、
該中空通路を通して、拘束された角膜インプラントを係合し、軸方向に前進させるように、該中空部材の該中空軸方向通路に配置される軸方向押込器と
を備え、
該軸方向中空通路は、挿入物が該通路を通して軸方向に前進させられるにつれて、該角膜インプラントの縁を半径方向内向きに外転させる、内向きに配向された弓形の表面を含む、システム。
（項目１１）
上記軸方向押込器は、上記インプラント用の薄い可撓性のキャリアを備え、該キャリアは、上記角膜インプラントの上記縁とともに外転される縁を有する、項目１０に記載のシステム。
（項目１２）
上記軸方向押込器の遠位側の上記中空通路内で拘束される、角膜インプラントをさらに備える、項目１１に記載のシステム。
（項目１３）
上記軸方向押込器は、遠位方向に先細である、項目１１に記載のシステム。
（項目１４）
上記軸方向押込器は、上記先細中空通路を通して遠位に前進させられるにつれて、直径を縮小するように変形可能である、項目１３に記載のシステム。
（項目１５）
上記軸方向押込器は、形状が上記中空通路の断面外形と同様である、断面外形を有する、項目１４に記載のシステム。
（項目１６）
上記中空部材に結合される、インプラント変形チャンバをさらに備える、項目１５に記載のシステム。
（項目１７）
周囲形状を画定する離散要素を含む、３次元構造を有する足場を備え、該足場の中がほとんど空であり、該周囲形状は、角膜ポケットに配置されるときに視力矯正を提供するように選択される、角膜インプラント。
（項目１８）
上記周囲形状は、近視を矯正するように上記ポケットに配置されるときに、上記角膜を平らにする、項目１７に記載の角膜インプラント。
（項目１９）
上記周囲形状は、遠視を矯正するように、上記ポケットに配置されるときに、角膜を急勾配にする、項目１７に記載の角膜インプラント。
（項目２０）
上記周囲形状は、遠視を緩和し、乱視を軽減するように、上記ポケットに配置されるときに、角膜中央部を急勾配にし、該角膜の急勾配の軸を平らにする、項目１７に記載の角膜インプラント。
（項目２１）
レンズをさらに備え、上記形状は、上記ポケットに配置されるときに、上記角膜の形状を変化させ、該レンズは、付加的な屈折誤差矯正を提供する、項目１７に記載の角膜インプラント。
（項目２２）
角膜ポケットに配置されるときに、事前選択された視力矯正を提供するように選択される周囲形状を画定する、本体を備え、
該本体は、該本体が０．１ＭＰａから４ＭＰａの範囲の引張強度および０．１ＭＰａから５ＭＰａの範囲の弾性率を有するような材料から成る、
角膜インプラント。
（項目２３）
上記材料は、アクリル共重合体を含む、項目２２に記載の角膜インプラント。
（項目２４）
上記材料は、シリコーンまたはコラーゲンの共重合体を含む、項目２２に記載の角膜インプラント。
（項目２５）
上記周囲形状は、近視を矯正するように、上記ポケットに配置されるときに、角膜を平らにする、項目２２に記載の角膜インプラント。
（項目２６）
上記周囲形状は、遠視を矯正するように、上記ポケットに配置されるときに、角膜を急勾配にする、項目２２に記載の角膜インプラント。
（項目２７）
上記周囲形状は、遠視を緩和し、乱視を軽減するように、上記ポケットに配置されるときに、上記角膜中央部を急勾配にし、角膜の急勾配の軸を平らにする、項目２２に記載の角膜インプラント。
（項目２８）
レンズをさらに備え、上記形状は、上記ポケットに配置されるとき、角膜の形状を変化させ、該レンズは、付加的な屈折誤差矯正を提供する、項目２２に記載の角膜インプラント。
（項目２９）
上記材料は、金属を含む、項目２２に記載の角膜インプラント。
（項目３０）
上記金属は、金、チタン、およびニッケルチタン合金から成る群より選択される、項目２９に記載の角膜インプラント。